(57)【要約】      （修正有）【課題】低臭気で人体に対する有害性が低く、被洗浄物への影響も小さい印刷インキ洗浄剤を提供する。【解決手段】ジイソブチレンを含有することを特徴とする。ジイソブチレンは低臭気であり、人体に対する有害性が低く、被洗浄物への影響が低い印刷インキ洗浄剤。さらに、極性溶剤を含有することが好ましく、ジイソブチレンと極性溶剤を組み合わせて使用することにより、印刷インキの洗浄性が向上する。また、ブランケット等の被洗浄物の材料には、アクリロニトリルやブタジエンゴム等のゴムが使用されることが多いが、極性溶剤を配合することにより、ゴムを膨潤させる等の悪影響の低減できる、印刷インキ洗浄剤。【選択図】なし【特許請求の範囲】
【請求項１】
ジイソブチレンを含有する印刷インキ洗浄剤。
【請求項２】
さらに、極性溶剤を含有する請求項１記載の印刷インキ洗浄剤。
【請求項３】
前記極性溶剤が、炭素数２〜６の一級アルコールである請求項２記載の印刷インキ洗浄剤。
【発明の詳細な説明】
【技術分野】
【０００１】
本発明は、印刷インキ洗浄剤に関する。
【背景技術】
【０００２】
従来、インキ用洗浄剤として、ミネラルスピリット、灯油等の石油系炭化水素油が使用されてきた。特に、オフセット印刷で使用されるブランケットでは、上述した石油系炭化水素油に加え、ジクロロメタン、１，２−ジクロロプロパン等の塩素系溶剤が使用されてきた。
しかしながら、上記石油系炭化水素油は、被洗浄物に対し膨潤させる等の悪影響を及ぼすことがあるという問題がある。また、臭気及び有害性の比較的高いものがあるという問題がある。
特に、ブランケットの洗浄剤として、人体及び環境に対して有害性の高い塩素系溶剤が使用されているため、人体等への影響の少ない洗浄剤が強く求められている。
【０００３】
上記の課題に対し、石油由来の洗浄剤の代わりとして、動植物油由来の成分からなる洗浄剤が検討されてきた。動植物油由来の成分としては、脂肪酸トリグリセリド及びその誘導体である脂肪酸エステル、テルペン類等が挙げられる。
しかしながら、脂肪酸トリグリセリド及び脂肪酸エステルは乾燥性が悪く、洗浄性が不十分であり、インキ洗浄には適さない。
テルペン類の多くは強い芳香を有し、実際のインキ洗浄作業には大きな支障となる。また、テルペン類は反応性を有するものも多く、空気との接触で酸化重合による樹脂化を起こすものもある。
【０００４】
テルペン類を用いたものとして、例えば、特許文献１には揮発性テルペンを用いたゲル状洗浄液が、特許文献２にはテルペン炭化水素と活性剤からなる油溶性洗浄液が、特許文献３にはテルペン系化合物を用いたエマルションをなす印刷インキ洗浄液が記載されている。しかしながら、いずれも、臭気への配慮がなされず印刷インキ洗浄剤としての使用は困難である。
【０００５】
特許文献４にはモノテルペンの水素添加物を用いたエマルジョン型洗浄組成物が記載されている。しかしながら、印刷インキの洗浄には、洗浄力及び乾燥性が不足している。
また、特許文献５にはパラメンタン又はピナンを主成分とする印刷インキ洗浄剤が記載されている。しかしながら、パラメンタンやピナン類は芳香臭があり、一時的な使用に際しては特に問題はないが、長期に渡り使用すると、不快を受ける場合があり臭気の面で問題がある。
【０００６】
その他の洗浄剤として、特許文献６には炭素数８〜１２で沸点範囲が１００〜２００℃の石油系溶剤と、炭素数３〜６のアルコールとを混合してなる印刷機械洗浄剤が記載されている。
【先行技術文献】
【特許文献】
【０００７】
【特許文献１】特開昭６０−１９７７９７号公報
【特許文献２】特開平３−６３００号公報
【特許文献３】特開平９−５９６９５号公報
【特許文献４】特開平９−３１００９５号公報
【特許文献５】特開２００５−２３１９６号公報
【特許文献６】特開昭６２−２０２０００号公報
【発明の概要】
【発明が解決しようとする課題】
【０００８】
本発明の目的は、低臭気で人体に対する有害性が低く、被洗浄物への影響も小さい印刷インキ洗浄剤の提供を課題とする。
【課題を解決するための手段】
【０００９】
本発明者は、上記課題を鋭意検討した結果、ジイソブチレンが低臭気で人体に対する有害性が低く、被洗浄物への影響が低く、印刷インキ洗浄剤として有用であることを見出し、本発明を完成させた
本発明によれば、以下の印刷インキ洗浄剤が提供される。
１．ジイソブチレンを含有する印刷インキ洗浄剤。
２．さらに、極性溶剤を含有する１記載の印刷インキ洗浄剤。
３．前記極性溶剤が、炭素数２〜６の一級アルコールである２記載の印刷インキ洗浄剤。
【発明の効果】
【００１０】
本発明によれば、低臭気で人体に対する有害性が低く、被洗浄物への影響が低い印刷インキ洗浄剤を提供することができる。本発明の印刷インキ洗浄剤は、特に、ブランケットの洗浄剤として好適である。
【発明を実施するための形態】
【００１１】
本発明の印刷インキ洗浄剤は、ジイソブチレンを含有することを特徴とする。ジイソブチレンは低臭気であり、また、印刷インキを洗浄することができる。
本発明の印刷インキ洗浄剤は、さらに、極性溶剤を含有することが好ましい。ジイソブチレンと極性溶剤を組み合わせて使用することにより、印刷インキの洗浄性が向上する。また、ブランケット等の被洗浄物の材料には、アクリロニトリルやブタジエンゴム等のゴムが使用されることが多いが、極性溶剤を配合することにより、ゴムを膨潤させる等の悪影響の低減できる。
【００１２】
本発明に使用する極性溶剤としては、ジイソブチレンと混合可能な溶剤であればよい。また、極性溶剤は１種でもよく、２種以上を組み合わせて用いてもよい。
【００１３】
極性溶剤の具体例としては、特に限定するものではないが、エタノール、イソプロパノール等のアルコール類、グリコールエーテルエステル系、γ−ブチロラクトン等のラクトン系、Ｎ−メチル−２−ピロリドン（ＮＭＰ）、Ｎ，Ｎ−ジメチル−メチルプロピオン酸アミド、Ｎ，Ｎ−ジメチルホルムアミド（ＤＭＦ）等のアミド系、シクロペンチルメチルエーテル、テトラヒドロフラン（ＴＨＦ）等のエーテル系が例示される。
特に極性溶剤としては、炭素数２〜６の一級アルコールが好ましい。具体的には、エタノール、ノルマルプロパノール、イソプロパノール、ノルマルブタノール、ノルマルペンタノール、ノルマルヘキサノールが例示される。
特に、洗浄剤の乾燥性、臭気の観点からエタノール、イソプロピルアルコールがより好ましい。
【００１４】
洗浄剤全体に対する極性溶剤の含有率は０〜８０％が好ましく、特に１０〜７０％が好ましい。さらに、好ましい範囲は、１０〜５０％である。
ジイソブチレンと極性溶剤との配合比（ジイソブチレン／極性溶剤：ｗｔ％）は、１００〜２０／０〜８０が好ましい。極性溶剤が少ないとブランケットを膨潤させる場合があると共に、極性溶剤が多いと洗浄性が低くなる場合があることから、より好ましくは９０〜５０／１０〜５０である。
【００１５】
本発明の洗浄剤は、上述したジイソブチレンと極性溶剤の他に、界面活性剤を含有してもよい。界面活性剤としては、一般的に用いられているものであればよく、例えば、陰イオン系界面活性剤、陽イオン系界面活性剤、非イオン系界面活性剤等を挙げることができる。これらは１種単独で、又は２種以上を組み合わせて用いることができる。
【００１６】
陰イオン系界面活性剤としては、例えば、脂肪酸塩類、アビエチン酸塩類、ヒドロキシアルカンスルホン酸塩類、アルカンスルホン酸塩類、ジアルキルスルホコハク酸塩類、直鎖又は分岐鎖のアルキルベンゼンスルホン酸塩類、アルキルナフタレンスルホン酸塩類、アルキルフェノキシポリオキシエチレンプロピルスルホン酸塩類、ポリオキシエチレンアルキルスルホフェニルエーテル塩類、Ｎ−メチル−Ｎ−オレイルタウリンナトリウム塩類、Ｎ−アルキルスルホコハク酸モノアミド二ナトリウム塩類、石油スルホン酸塩類、硫酸化ヒマシ油、硫酸化牛脂油、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン−無水マレイン酸共重合物の部分ケン化物類、オレフィン−無水マレイン酸共重合物の部分ケン化物類、ナフタレンスルホン酸塩ホルマリン縮合物類等が挙げられる。硫酸化ヒマシ油、硫酸化牛脂油、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン−無水マレイン酸共重合物の部分ケン化物類、オレフィン−無水マレイン酸共重合物の部分ケン化物類、ナフタレンスルホン酸塩ホルマリン縮合物類等が挙げられる。
これら陰イオン系界面活性剤の中でも、ジアルキルスルホコハク酸塩類、直鎖又は分岐鎖のアルキルベンゼンスルホン酸塩類及びアルキル硫酸エステル塩類が好ましい。
【００１７】
陽イオン系界面活性剤としては、例えば、アルキルアミン塩類、第四級アンモニウム塩類等が挙げられる。
非イオン系界面活性剤としては、例えば、ポリオキシエチレンアルキルエーテル類、ポリオキシエチレンアルキルフェニルエーテル類、ポリオキシエチレンポリスチリルフェニルエーテル類、ポリオキシエチレンポリオキシプロピレンアルキルエーテル類、グリセリン脂肪酸部分エステル類、ソルビタン脂肪酸部分エステル類、ペンタエリスリトール脂肪酸部分エステル類、プロピレングリコールモノ脂肪酸エステル類、ショ糖脂肪酸部分エステル類、ポリオキシエチレンソルビタン脂肪酸部分エステル類、ポリオキシエチレンソルビトール脂肪酸部分エステル類、ポリエチレングリコール脂肪酸エステル類、ポリグリセリン脂肪酸部分エステル類、ポリオキシエチレン化ひまし油類、ポリオキシエチレングリセリン脂肪酸部分エステル類、脂肪酸ジエタノールアミド類、Ｎ，Ｎ−ビス−２−ヒドロキシアルキルアミン類、ポリオキシエチレンアルキルアミン類、トリエタノールアミン脂肪酸エステル類、トリアルキルアミンオキシド類等が挙げられる。
【００１８】
界面活性剤の含有量は、洗浄剤全体の０．１〜１５ｗｔ％であることが好ましく、特に、０．１〜１０ｗｔ％であることが好ましい。
【００１９】
本発明の洗浄剤には、さらに、酸化防止剤、防錆剤、帯電防止剤等の公知の添加剤を添加してもよい。
【００２０】
本発明の印刷インキ洗浄剤は、凸版印刷、凹版印刷（グラビア印刷）、孔版印刷（シルク印刷）、オフセット印刷等、各種印刷法で使用される機器や部材等の洗浄に使用できる。特に、オフセット印刷で使用されるブランケットの洗浄に好適である。
【実施例】
【００２１】
実施例１−９、比較例１，２
表１に示す組成を有する洗浄剤を作製し、以下の評価を実施した。評価結果を表１に示す。
（１）インキの洗浄性
インキの洗浄性は、酸化硬化型インキが洗浄剤に溶解するか否かで評価した。評価基準は次の通りとした。
○：インキが洗浄剤に完全に溶解する場合
△：インキが洗浄剤に分散する場合
×：インキが洗浄剤に溶解も分散もしない場合
【００２２】
（２）紙粉の洗浄性
印刷後にブランケットゴムに付着した紙粉を、それぞれの洗浄剤を含ませた布で拭き取り、紙粉を完全に除去できるまでの拭き取り回数で評価した。評価基準は次の通りとした。
○：拭き取り回数が１０回まで
△：拭き取り回数が１１〜１５回
×：１６回以上
【００２３】
（３）乾燥性
洗浄剤をガラス皿に０．３ｇ入れ、室温で放置し、その重量減量を測定し、評価した。評価基準は次の通りとした。
○：２時間以内に全量に対し８０％以上の減量があった。
△：６０〜８０％未満の減量があった。
×：減量が６０％未満であった。
【００２４】
（４）臭気
職場で無作為に抽出した１０人にて臭気官能試験を行い、下記の５段階で評価し、平均点を算出した。
５：臭気がほとんどない
４：臭気が少しあるが、気にならない
３：不快ではないが、臭気がきつい。
２：臭気が少ししか無いが、不快である。
１：臭気がきつく、不快である
評価基準は次の通りとした。
○：４点以上    △：４点未満〜３点以上    ×：３点未満
【００２５】
（５）シリコーンゴムの膨潤性：
化学実験で用いるシリコーンゴム栓を約５×５×５ｍｍ角に切断し、洗浄液に２時間漬け込み、重量増加率を測定した。評価基準は次の通りとした。
○：重量変化率０％以上１％未満
△：重量変化率５％未満
×：重量変化率５％以上
【００２６】
（６）アクリルニトリル・ブタジエンゴムの膨潤性
厚みが５ｍｍのアクリルニトリル・ブタジエンゴムシートを約１０×１０ｍｍの大きさにカットし、洗浄液に２時間漬け込み、重量増加率を測定した。評価基準は次の通りとした。
○：重量変化率０％以上１％未満
△：重量変化率５％未満
×：重量変化率５％以上
【００２７】
（７）有害性
洗浄剤の各成分のＭＳＤＳを確認し評価した。評価基準は次の通りとした。
○：特記すべき有害性はない
△：ＰＲＴＲ法に該当
×：有害性が高い（毒劇物法に該当、或いは、或いは、発がん性がある或いは疑いがある、或いは、高い皮膚刺激性がある等）
【００２８】
【表１】
2014080472.tif 000002
【００２９】
評価に×のあるものは、洗浄剤として不適切であると思われる。ジイソブチレン単独の場合、インキの洗浄性が若干悪く、ニトリル・ブタジエンゴムを少し膨潤させる傾向にあるが、使用上問題ないと判断できる。
【産業上の利用可能性】
【００３０】
本発明の印刷インキ洗浄剤は、各種印刷法で使用される機器や部材等の洗浄に使用できる。特に、オフセット印刷で使用されるブランケットの洗浄に好適である。